【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
複数ノードの階層コンテンツベースのシステムを介して公開するために広告主からの広告情報を受け取るインターネット広告システムであって、
該インターネット広告システムは、
インターネットを利用してインターネット広告システムに接続している複数の広告主のユーザーシステムから広告一覧表示情報を受信する受信手段であって、該広告一覧表示情報は、広告の表題とＵＲＬ、広告一覧表示情報に関連する１以上のノードレベルの選択、及び選択された各ノードレベルに対する提示金額を具備する、受信手段と、
前記広告一覧表示を記憶する記憶手段と
複数ノードの階層システム内の特定のノードを要求したエンドユーザーにウェブページコンテンツと広告一覧表示とを公開する公開手段であって、該公開手段は選択されたノードに関連するコンテンツとその特定のノードに関連する広告とを配信する、公開手段と、
を具備するインターネット広告システム。
【請求項２】
提供された前記ＵＲＬは、前記エンドユーザーに配信されたウェブページから選択した広告一覧表示に応じてエンドユーザーに配信する的を絞ったウェブページを指定する、請求項１に記載のインターネット広告システム。
【請求項３】
個々の前記ノードは階層構造を形成してお互いに関連している請求項１に記載のインターネット広告システム。
【請求項４】
前記公開手段は要求された特定のノードでのあらかじめ定めた数の広告一覧表示を選択する請求項１に記載のインターネット広告システム。
【請求項５】
前記公開手段は、前記エンドユーザーにより要求された特定のノードに関連する提示金額の順位に基づいて広告一覧表示を表示する請求項１に記載のインターネット広告システム。
【請求項６】
前記公開手段は、前記エンドユーザーにより要求された特定のノードに関連する提示金額の順位に基づく広告一覧表示と、前記コンテンツシステムの階層構造に基づく少なくともひとつの上位レベルのノードとを表示する請求項５に記載のインターネット広告システム。
【請求項７】
前記公開手段は、前記エンドユーザーにより要求された特定のノードに関連する提示金額の順位に基づく広告一覧表示と、前記コンテンツシステムの階層構造に基づくすべての他の上位レベルのノードとを表示する請求項６に記載のインターネット広告システム。
【請求項８】
さらに、提示金額に基づいて前記インターネット広告システムの個々のノードに公開する広告一覧表示に対する支払いを受け付ける支払手段を具備する請求項１に記載のインターネット広告システム。
【請求項９】
さらに、インターネット広告システムに適用可能な一組のルールを記憶するための第２の記憶手段と、
申し出された広告が前記一組のルールに適合するかどうかを決定するルール点検手段と、
前記一組のルールに適合しないすべての要求された広告を拒否する拒否手段と、
を具備する請求項１に記載のインターネット広告システム。
【請求項１０】
複数ノードの階層コンテンツベースのシステムを介して公開するために広告主からの広告情報を受け取るインターネット広告システムであって、
該インターネット広告システムは、
インターネットを利用してインターネット広告システムに接続している複数の広告主のユーザーシステムから広告一覧表示情報を受信する双方向データーベースサーバーであって、該広告一覧表示情報は、広告の表題とＵＲＬ、広告一覧表示情報に関連する１以上のノードレベルの選択、及び選択された各ノードレベルに対する提示金額を具備する、双方向データーベースサーバーと、
前記広告一覧表示を記憶するデータベースと
複数ノードの階層システム内のノードを要求したエンドユーザーにウェブページコンテンツと広告一覧表示とを配信するネットワークファイルサーバーであって、配信されたコンテンツと広告一覧表示はエンドユーザーに選択されたノードに基づく、ネットワークファイルサーバーと、
を具備するインターネット広告システム。
【請求項１１】
提供された前記ＵＲＬは、前記エンドユーザーに配信されたウェブページから選択した広告一覧表示に応じてエンドユーザーに配信する的を絞ったウェブページを指定する、請求項１０に記載のインターネット広告システム。
【請求項１２】
個々の前記ノードは階層構造を形成してお互いに関連している請求項１０に記載のインターネット広告システム。
【請求項１３】
前記ネットワークファイルサーバーは要求された特定のノードでのあらかじめ定めた数の広告一覧表示を選択する請求項１０に記載のインターネット広告システム。
【請求項１４】
前記ネットワークファイルサーバーは、前記エンドユーザーにより要求された特定のノードに関連する提示金額の順位に基づいて広告一覧表示を表示する請求項１０に記載のインターネット広告システム。
【請求項１５】
前記ネットワークファイルサーバーは、前記エンドユーザーにより要求された特定のノードに関連する提示金額の順位に基づく広告一覧表示と、前記コンテンツシステムの階層構造に基づく少なくともひとつの上位レベルのノードとを表示する請求項１４に記載のインターネット広告システム。
【請求項１６】
前記ネットワークファイルサーバーは、前記エンドユーザーにより要求された特定のノードに関連する提示金額の順位に基づく広告一覧表示と、前記コンテンツシステムの階層構造に基づくすべての他の上位レベルのノードとを表示する請求項１５に記載のインターネット広告システム。
【請求項１７】
さらに、提示金額に基づいて前記インターネット広告システムの個々のノードに公開する広告一覧表示に対する支払いを集める支払いプロセッサー、を具備する請求項１０に記載のインターネット広告システム。
【請求項１８】
前記データベースは、インターネット広告システムに適用可能な一組のルールを記憶し、さらに、
申し出された広告が前記一組のルールに適合するかどうかを決定するルール点検モジュールと、
前記一組のルールに適合しないすべての要求された広告に拒否信号を伝送するする拒否信号伝送モジュールと、
を具備する請求項１０に記載のインターネット広告システム。
【請求項１９】
複数ノードの階層コンテンツベースのシステムを介して公開するために広告主が広告を表示することを可能にする方法であって、
該方法は、
インターネットを利用してインターネット広告システムに接続している複数の広告主のユーザーシステムから広告一覧表示情報を受信する受信ステップであって、該広告一覧表示情報は、広告の表題とＵＲＬ、広告一覧表示情報に関連する１以上のノードレベルの選択、及び選択された各ノードレベルに対する提示金額を具備する、受信ステップと、
前記広告一覧表示をソートするステップと、
複数ノードの階層システム内の特定のノードを要求したエンドユーザーにウェブページコンテンツと広告一覧表示とを公開する公開ステップであって、該公開手段は選択されたノードに関連するコンテンツとその特定のノードに関連する広告とを配信する、ステップと、
を具備する方法。
【請求項２０】
提供された前記ＵＲＬは、前記エンドユーザーに配信されたウェブページから選択した広告一覧表示に応じてエンドユーザーに配信する的を絞ったウェブページを指定する請求項１９に記載の方法。
【請求項２１】
個々の前記ノードは階層構造を形成してお互いに関連している請求項１９に記載の方法。
【請求項２２】
前記公開ステップには要求された特定のノードでのあらかじめ定めた数の広告一覧表示を選択するステップが含まれる請求項１９に記載の方法。
【請求項２３】
前記公開ステップには、前記エンドユーザーにより要求された特定のノードに関連する提示金額の順位に基づいて広告一覧表示を選択するステップが含まれる請求項２２に記載の方法。
【請求項２４】
前記公開ステップには、前記エンドユーザーにより要求された特定のノードに関連する提示金額の順位に基づいて広告一覧表示と、前記コンテンツシステムの階層構造に基づく少なくともひとつの上位レベルのノードとを選択するステップが含まれる請求項２３に記載の方法。
【請求項２５】
前記公開ステップには、前記エンドユーザーにより要求された特定のノードに関連する提示金額の順位に基づいて広告一覧表示と、前記コンテンツシステムの階層構造に基づくすべての他の上位レベルのノードとを選択するステップが含まれる請求項２４に記載の方法。
【請求項２６】
さらに、提示金額に基づいて前記インターネット広告システムの個々のノードに公開する広告一覧表示に対する支払いを受け付けるステップを具備する請求項１９に記載の方法。
【請求項２７】
さらに、インターネット広告システムに適用可能な一組のルールを記憶するステップと、
申し出された広告が前記一組のルールに適合するかどうかを決定するステップと、
前記一組のルールに適合しないすべての要求された広告を拒否するステップと、
を具備する請求項１９に記載の方法。